Podtech/llm-jp-corpus-v4-ja_patent huggingface dataset:
【手続補正書】
【提出日】平成21年7月29日(2009.7.29)
【手続補正１】
【補正対象書類名】特許請求の範囲
【補正対象項目名】全文
【補正方法】変更
【補正の内容】
【特許請求の範囲】
【請求項１】
遊技盤の前面に形成され、発射装置から発射された遊技球が打ち込まれて転動する遊技領域と、
該遊技領域を特定入球口が設けられる第１の遊技領域とその他の第２の遊技領域とに区画形成し、遊技球の相互移動を規制する枠状部材と、
該枠状部材に配設され、前記第１の遊技領域に遊技球を受け入れ可能な開放状態と前記第１の遊技領域への遊技球の受け入れを困難にする閉鎖状態との間で開閉動作可能な開閉可動部材と、
前記第１の遊技領域内に進入した遊技球が前記特定入球口に受け入れられたことを検出する入球状態検出手段と、
前記第２の遊技領域に設けられ、遊技球を受け入れ可能な始動口と、
該始動口に遊技球が受け入れられたことを検出する始動検出手段と、
該始動検出手段により遊技球が受け入れられたことを検出したときに遊技者に有利な第１有利遊技状態と第２有利遊技状態とのいずれか一方を発生させることに決定する有利状態決定手段と、
該有利状態決定手段の決定結果に基づいて複数種類の画像情報の表示制御を開始し、前記第１有利遊技状態に決定されたときに第１特定態様を導出表示する一方、前記第２有利遊技状態に決定されたときに第２特定態様を導出表示する表示手段と、
該表示手段に前記第２特定態様が導出表示されたときに前記開閉可動部材を所定態様で開閉制御する前記第２有利遊技状態に制御する第２有利遊技状態制御手段と、
前記表示手段に前記第１特定態様が導出表示されたとき及び前記第２有利遊技状態中に前記第１の遊技領域内に受け入れられた遊技球が前記特定入球口に受け入れられて前記入球状態検出手段によって検出されたときに前記第１有利遊技状態に制御する第１有利遊技状態制御手段と、を備えることを特徴とする遊技機。
【請求項２】
前記有利状態決定手段は、
有利度合いの異なる複数の第２有利遊技状態のうちいずれの有利遊技状態を発生させるか決定する第２有利度合決定手段と、
前記表示手段にて前記複数種類の画像情報の表示制御を開始してから前記第１特定態様及び記第２特定態様を導出表示するまでの実行時間を予め定められた複数の実行時間の中から決定する実行時間決定手段と、を含み、
前記第２有利度合決定手段により有利度合いの高い第２有利遊技状態を発生させることに決定されたとき、前記実行時間決定手段は、前記複数の実行時間のうち高い割合で長い実行時間に決定することを特徴とする請求項１記載の遊技機。
【請求項３】
前記第２の遊技領域に設けられ、前記第１の遊技領域及び第２の遊技領域とは異なる入賞領域に受け入れ可能な開放状態と前記入賞領域への遊技球の受け入れを困難にする閉鎖状態との間で開閉動作可能な特別開閉可動部材を備え、
前記第１有利遊技状態制御手段は、前記特別開閉可動部材を所定の態様で開閉制御することにより前記第１有利遊技状態に制御することを特徴とする請求項１又は請求項２に記載の遊技機。
【手続補正２】
【補正対象書類名】明細書
【補正対象項目名】０００７
【補正方法】変更
【補正の内容】
【０００７】
（解決手段１）
遊技盤（遊技盤５）の前面に形成され、発射装置（発射装置ユニット１９４）から発射された遊技球が打ち込まれて転動する遊技領域（遊技領域３７）と、
該遊技領域を特定入球口（特別入賞口９３）が設けられる第１の遊技領域（遊技領域３７のうち役物９１に囲まれる部分；第１の遊技領域３７ａ）とその他の第２の遊技領域（遊技領域３７のうち役物９１に囲まれていない部分；第２の遊技領域３７ｂ）とに区画形成し、遊技球の相互移動を規制する（例えば、役物９１と透明板５０との間隔を、遊技球が通過できない間隔となるように役物９１を配置する構成、役物９１の前面にガラス板又は透明樹脂板等を装着する構成、等により第２の遊技領域３７ｂから第１の遊技領域３７ａに遊技球が進入しないように規制するとともに第１の遊技領域３７ａから第２の遊技領域３７ｂに遊技球が進入しないように規制する）枠状部材（役物９１）と、
該枠状部材に配設され、前記第１の遊技領域に遊技球を受け入れ可能な開放状態（開状態）と前記第１の遊技領域への遊技球の受け入れを困難にする閉鎖状態（閉状態）との間で開閉動作可能な開閉可動部材（第１の可動片４５６）と、
前記第１の遊技領域内に進入した遊技球が前記特定入球口に受け入れられたことを検出する入球状態検出手段（大当たり受入センサ３２９）と、
前記第２の遊技領域に設けられ、遊技球を受け入れ可能な始動口（始動口９６）と、
該始動口に遊技球が受け入れられたことを検出する始動検出手段（始動口センサ３１８）と、
該始動検出手段により遊技球が受け入れられたことを検出したときに遊技者に有利な第１有利遊技状態（特別遊技）と第２有利遊技状態（補助遊技）とのいずれか一方を発生させることに決定する有利状態決定手段（ＣＰＵ３１４により特別図柄停止図柄設定処理のステップＳ２０１及びステップＳ２０２を実行して特定の停止図柄と通常の停止図柄とのいずれか一方に決定する部分）と、
該有利状態決定手段の決定結果に基づいて複数種類の画像情報の表示制御を開始し、前記第１有利遊技状態に決定されたときに第１特定態様（特定の停止図柄）を導出表示する一方、前記第２有利遊技状態に決定されたときに第２特定態様（通常の停止図柄）を導出表示する表示手段（演出表示装置１１５）と、
該表示手段に前記第２特定態様が導出表示されたときに前記開閉可動部材を所定態様で開閉制御する前記第２有利遊技状態に制御する第２有利遊技状態制御手段（ＣＰＵ３１４により補助遊技処理（ステップＳ６００）を実行する部分）と、
前記表示手段に前記第１特定態様が導出表示されたとき及び前記第２有利遊技状態中に前記第１の遊技領域内に受け入れられた遊技球が前記特定入球口に受け入れられて前記入球状態検出手段によって検出されたときに前記第１有利遊技状態に制御する第１有利遊技状態制御手段（ＣＰＵ３１４により大入賞口開放前処理（ステップＳ７００）、大入賞口開放中処理（ステップＳ８００）、及び大入賞口開放後処理（ステップＳ９００）を実行する部分）と、を備えることを特徴とする遊技機（パチンコ機１）。
【手続補正書】
【提出日】平成21年2月20日(2009.2.20)
【手続補正１】
【補正対象書類名】明細書
【補正対象項目名】００４１
【補正方法】変更
【補正の内容】
【００４１】
期間ＰＨ１では、トランジスタＰＴ１がオン、トランジスタＰＴ２がオフとなり、端子ＴＭ２を介して接続されるフライングコンデンサＦＣの一端の電圧が、端子ＴＭ３を介して出力電源線に出力される。このとき、トランジスタＰＴ３がオン、トランジスタＮＴ１がオフとなり、端子ＴＭ１を介して接続されるフライングコンデンサＦＣに他端には、システム電源電圧ＡＶＤＤが供給される。
【手続補正２】
【補正対象書類名】明細書
【補正対象項目名】００４２
【補正方法】変更
【補正の内容】
【００４２】
期間ＰＨ２では、トランジスタＰＴ１がオフ、トランジスタＰＴ２がオンとなり、端子ＴＭ２を介して接続されるフライングコンデンサＦＣの一端には、システム電源電圧ＡＶＤＤが供給される。このとき、トランジスタＰＴ３がオフ、トランジスタＮＴ１がオンとなるため、端子ＴＭ１を介して接続されるフライングコンデンサＦＣの他端には、システム接地電源電圧ＶＳＳが供給される。従って、期間ＰＨ２では、フライングコンデンサＦＣには、システム電源電圧ＡＶＤＤとシステム接地電源電圧ＶＳＳとの間の電圧に対応した電荷が蓄積される。
【手続補正３】
【補正対象書類名】明細書
【補正対象項目名】００４３
【補正方法】変更
【補正の内容】
【００４３】
そして、再び、期間ＰＨ１では、上述のように出力電源線に、フライングコンデンサＦＣの一端の電圧が出力される。このとき、端子ＴＭ１に接続されるフライングコンデンサＦＣ他端の電圧がシステム電源電圧ＡＶＤＤとなるため、出力電源線の電圧は、システム電源電圧ＡＶＤＤとシステム接地電源電圧ＶＳＳとの間の電圧の２倍の電圧となる。安定化用コンデンサＳＣ１は、出力電源線の電圧に対応した電荷を蓄積するため、その後、期間ＰＨ２では安定化用コンデンサＳＣ１に蓄積された電荷に対応した電圧を昇圧電圧として出力し、期間ＰＨ１では上述したように電荷が蓄積される。
【手続補正書】
【提出日】平成21年7月14日(2009.7.14)
【手続補正１】
【補正対象書類名】特許請求の範囲
【補正対象項目名】全文
【補正方法】変更
【補正の内容】
【特許請求の範囲】
【請求項１】
製紙工程水に、（ａ）次亜塩素酸ナトリウム水溶液と、（ｂ）硫酸アンモニウム水溶液および塩化アンモニウム水溶液から選ばれた少なくとも１種とを添加することを特徴とする製紙工程水の殺菌方法。
【請求項２】
予め前記（ａ）成分と前記（ｂ）成分とを混合して混合水溶液を調製し、該混合水溶液を前記製紙工程水に添加する請求項１に記載の殺菌方法。
【請求項３】
前記混合水溶液のｐＨが８未満であるとき、予め前記混合水溶液に水酸化ナトリウム、および水酸化ナトリウムから選択されるアルカリ剤を添加してｐＨ８以上に調整し、該混合水溶液を前記製紙工程水に添加する請求項２に記載の殺菌方法。
【請求項４】
前記製紙工程水に対して前記（ａ）成分の濃度が有効塩素濃度として３０００〜９０００ｍｇ／Ｌ、前記（ｂ）成分の濃度が４０００〜１００００ｍｇ／Ｌであって、かつ前記（ａ）成分中の塩素と前記（ｂ）成分中の窒素とのモル比が１：１〜１：２である請求項１〜３のいずれか１つに記載の殺菌方法。
【手続補正書】
【提出日】平成21年6月26日(2009.6.26)
【手続補正１】
【補正対象書類名】明細書
【補正対象項目名】００８０
【補正方法】変更
【補正の内容】
【００８０】
（実施例２）
芯成分が融点１６０℃のポリプロピレン樹脂であり、鞘成分が融点１４０℃のポリエチレン樹脂からなる複合繊維(繊度６．６デシテックス、繊維長６４ｍｍ)からなるステープル繊維１００質量％を用い、カード機を使用して繊維ウェブを形成した。次いで、この繊維ウェブをエアスルー型の乾燥機を用いて、１４０℃の熱風により、熱風通過速度６ｍ／秒の条件下で、加熱接着処理を行い、面密度５０ｇ／ｍ2で、厚さ０．７ｍｍの繊維接着ウェブを形成した。次いで、この繊維接着ウェブを別のエアスルー型の乾燥機を用いて、１３０℃の熱風により、熱風通過速度１０ｍ／秒の条件下で、加熱圧縮処理を行い、面密度５０ｇ／ｍ2で、厚さ０．５５ｍｍの不織布基材を作製した。次いで、実施例１と同様にして、面密度２９０ｇ／ｍ2、厚さ０．７ｍｍのガス除去基材を積層一体化して、面密度３５０ｇ／ｍ2、厚さ１．２５ｍｍの複合基材１１を作製した。得られた複合基材を評価した結果を表１に示す。
【手続補正２】
【補正対象書類名】明細書
【補正対象項目名】００８６
【補正方法】変更
【補正の内容】
【００８６】
(比較例２)
実施例２と同様にして、繊維ウェブを形成し、次いで、この繊維ウェブをエアスルー型の乾燥機を用いて、１４０℃の熱風により、熱風通過速度６ｍ／秒の条件下で、加熱接着処理を行い、面密度５０ｇ／ｍ2で、厚さ０．７ｍｍの繊維接着ウェブを形成した後、この繊維接着ウェブに加熱圧縮処理は行なわず、この繊維接着ウェブ(面密度５０ｇ／ｍ2、厚さ０．７ｍｍ)を不織布基材とした。次いで、実施例２と同様にして、面密度２９０ｇ／ｍ2、厚さ０．７ｍｍのガス除去基材を積層一体化して、面密度３５０ｇ／ｍ2、厚さ１．４ｍｍの複合基材を作製した。得られた複合基材を評価した結果を表２に示す。
【手続補正書】
【提出日】平成21年7月30日(2009.7.30)
【手続補正１】
【補正対象書類名】特許請求の範囲
【補正対象項目名】全文
【補正方法】変更
【補正の内容】
【特許請求の範囲】
【請求項１】
遊技領域が形成され、該遊技領域に向けて打ち込まれた遊技球が流下可能な遊技盤と、前記遊技領域へ遊技球を発射するための発射装置と、前記遊技領域に配設され、該遊技領域を特定入球口が設けられる第１の遊技領域とその他の第２の遊技領域とに区画形成する入賞装置と、前記第２の遊技領域に打ち込まれた遊技球の前記第１の遊技領域内への進入の確率が高くなるように動作可能な可動片と、前記第２の遊技領域に配設される始動口と、所定の条件が成立したことに基づいて利益価値の異なる複数種類の当選種が含まれる当落についての抽選処理を行う当落抽選手段と、前記第２の遊技領域にて所定の駆動態様で開閉動作する開閉部材と、前記開閉部材による開閉動作を通じて前記第２の遊技領域にて開放される大入賞口と、を備え、前記当落抽選手段による当落についての抽選結果が遊技者にとって有利となる特別遊技の実行契機となる当りであるとき、または、前記当落抽選手段による当落についての抽選結果が前記可動片の動作契機となる当りであることに基づき、前記第２の遊技領域に打ち込まれた遊技球が前記可動片による動作を通じて前記第１の遊技領域内に進入し、該進入した遊技球が前記特定入球口に受け入れられたとき、前記開閉部材による開閉動作を通じた前記大入賞口の開放によって前記特別遊技を行う遊技機であって、
前記複数種類の当選種が含まれる当落に対応付けされた複数種類の演出を記憶する演出記憶手段と、
前記当落抽選手段による当落についての抽選結果に対応する演出を前記演出記憶手段から読み出し、所定の演出表示手段にて該読み出された演出を表示制御する演出表示制御手段と、
前記開閉部材の駆動態様を複数種類記憶する駆動態様記憶手段と、
前記駆動態様記憶手段に記憶される複数種類の駆動態様のうち所定の駆動態様で前記開閉部材を駆動制御する駆動制御手段と、をさらに備え、
前記当落抽選手段は、
前記特別遊技の実行契機となる当りであり且つ前記特別遊技における前記開閉部材の駆動態様を第１の開閉態様とする第１の特別遊技当選種と、
前記特別遊技の実行契機となる当りであり且つ前記特別遊技における前記第１の開閉態様に比べて複数回繰り返されなければ同等とならない程度に利益価値が低い第２の開閉態様とする第２の特別遊技当選種と、
前記可動片の動作契機となる当りであり且つ前記特別遊技を行うか否か確定していない可動片当選種と、から構成される前記複数種類の当選種のうちいずれかの当選種とするか否かについての抽選処理を行い、
前記演出表示制御手段は、
前記当落抽選手段による当落についての抽選結果が当りであるか否かのみを通知する当落演出を表示制御する当落演出表示制御手段と、
前記当落演出にて当りである旨を通知した後、当該抽選結果の当選種を各々経時的に通知する当選種演出を表示制御する当選種演出表示制御手段と、を含むことを特徴とする遊技機。
【請求項２】
前記当選種演出表示制御手段は、前記当選種演出にて前記複数種類の当選種の利益価値が高い順に通知し、当該抽選結果の当選種を通知するまで表示制御することを特徴とする請求項１記載の遊技機。
【請求項３】
前記当選種演出表示制御手段は、前記当選種演出にて前記特別遊技の実行契機となる当りではない旨を通知することで、前記可動片の動作契機となる当りである旨を通知することを特徴とする請求項１または請求項２に記載の遊技機。
【手続補正２】
【補正対象書類名】明細書
【補正対象項目名】００２３
【補正方法】変更
【補正の内容】
【００２３】
（解決手段４）
前記当選種演出表示制御手段は、前記当選種演出にて前記特別遊技の実行契機となる当りではない旨を通知することで、前記可動片の動作契機となる当りである旨を通知することを特徴とする解決手段１乃至解決手段３のいずれかに記載の遊技機。
【手続補正書】
【提出日】平成21年7月29日(2009.7.29)
【手続補正１】
【補正対象書類名】特許請求の範囲
【補正対象項目名】全文
【補正方法】変更
【補正の内容】
【特許請求の範囲】
【請求項１】
対物レンズと、発光素子と、該対物レンズと発光素子を共に覆うように配置された１つの透明ドームを有するカプセル内視鏡において、
前記透明ドームは、外面が連続的な曲面で形成され、前記対物レンズの光軸上で負の屈折力を有することを特徴とするカプセル内視鏡。
【請求項２】
前記透明ドームが次の条件式（２）を満足することを特徴とする請求項１に記載のカプセル内視鏡。
Ｔ＜Ｒａ−Ｒｂ  ・・・（２）
ただし、Ｔは前記透明ドームの中心肉厚、Ｒａは前記透明ドームの物体側の面の曲率半径、Ｒｂは前記透明ドームの前記対物レンズ側の面の曲率半径である。
【請求項３】
前記透明ドームの物体側の面の曲率中心と前記透明ドームの前記対物レンズ側の面の曲率中心が一致せず、次の条件式（１）を満足することを特徴とする請求項１又は２に記載のカプセル内視鏡。
Ｒｂ＜Ｌ≦Ｒａ  ・・・（１）
ただし、Ｒａは前記透明ドームの物体側の面の曲率半径、Ｒｂは前記透明ドームの前記対物レンズ側の面の曲率半径、Ｌは前記透明ドームの物体側の面の頂点から前記対物レンズの最も物体側の面までの距離である。
【請求項４】
対物レンズと、発光素子と、該対物レンズと発光素子を共に覆うように配置された１つの透明ドームを有するカプセル内視鏡において、
前記透明ドームは、外面が連続的な曲面で形成され、前記対物レンズの光軸上で負の屈折力を有し、
前記透明ドームの端面に対向する位置に発光素子を配置し、
次の条件式（９）を満足することを特徴とする請求項１〜３のいずれかに記載のカプセル内視鏡。
Ｒｂ＜Ｈ＜Ｒａ  ・・・（９）
ただし、Ｒａは前記透明ドームの物体側の面の曲率半径、Ｒｂは前記透明ドームの前記対物レンズ側の面の曲率半径、Ｈは前記透明ドームの中心軸から該透明ドームの端面に対向する位置に配置される前記発光素子の中心までの距離である。
【請求項５】
前記透明ドームの端面のうち前記発光素子に対向する面が凹形状の曲面であり、次の条件式（１０）を満足することを特徴とする請求項４に記載のカプセル内視鏡。
２Ｒｃ＜Ｒａ−Ｒｂ  ・・・（１０）
ただし、Ｒａは前記透明ドームの物体側の面の曲率半径、Ｒｂは前記透明ドームの前記対物レンズ側の面の曲率半径、Ｒｃは前記透明ドームの前記発光素子に対向する面の曲率半径である。
【請求項６】
前記発光素子が配置される平面上の透明ドームに対向する範囲に、４００ｎｍ〜６００ｎｍの波長に対して次の条件（１１）を満足する反射板を設けたことを特徴とする請求項２乃至５に記載のカプセル内視鏡。
反射率＞９０％  ・・・（１１）
【手続補正２】
【補正対象書類名】明細書
【補正対象項目名】０００７
【補正方法】変更
【補正の内容】
【０００７】
上記目的を達成するため、本発明によるカプセル内視鏡は、対物レンズと、発光素子と、該対物レンズと発光素子を共に覆うように配置された１つの透明ドームを有するカプセル内視鏡において、前記透明ドームは、外面が連続的な曲面で形成され、前記対物レンズの光軸上で負の屈折力を有することを特徴としている。
【手続補正３】
【補正対象書類名】明細書
【補正対象項目名】００１２
【補正方法】変更
【補正の内容】
【００１２】
また、本発明のカプセル内視鏡においては、対物レンズと、発光素子と、該対物レンズと発光素子を共に覆うように配置された１つの透明ドームを有するカプセル内視鏡において、前記透明ドームは、外面が連続的な曲面で形成され、前記対物レンズの光軸上で負の屈折力を有し、前記透明ドームの端面に対向する位置に発光素子を配置し、次の条件（９）を満足するのが好ましい。
Ｒｂ＜Ｈ＜Ｒａ  ・・・（９）
ただし、Ｒａは前記透明ドームの物体側の面の曲率半径、Ｒｂは前記透明ドームの前記対物レンズ側の面の曲率半径、Ｈは前記透明ドームの中心軸から該透明ドームの端面に対向する位置に配置される前記発光素子の中心までの距離である。
【手続補正４】
【補正対象書類名】明細書
【補正対象項目名】００１３
【補正方法】変更
【補正の内容】
【００１３】
また、本発明のカプセル内視鏡においては、前記透明ドームの端面のうち前記発光素子に対向する面が凹形状の曲面であり、次の条件式（１０）を満足するのが好ましい。
２Ｒｃ＜Ｒａ−Ｒｂ  ・・・（１０）
ただし、Ｒａは前記透明ドームの物体側の面の曲率半径、Ｒｂは前記透明ドームの前記対物レンズ側の面の曲率半径、Ｒｃは前記透明ドームの前記発光素子に対向する面の曲率半径である。
【手続補正５】
【補正対象書類名】明細書
【補正対象項目名】００１４
【補正方法】変更
【補正の内容】
【００１４】
また、本発明のカプセル内視鏡においては、前記発光素子が配置される平面上の透明ドームに対向する範囲に、４００ｎｍ〜６００ｎｍの波長に対して次の条件（１１）を満足する反射板を設けるのが好ましい。
反射率＞９０％  ・・・（１１）
【手続補正書】
【提出日】平成21年7月30日(2009.7.30)
【手続補正１】
【補正対象書類名】特許請求の範囲
【補正対象項目名】全文
【補正方法】変更
【補正の内容】
【特許請求の範囲】
【請求項１】
遊技領域が形成され、該遊技領域に向けて打ち込まれた遊技球が流下可能な遊技盤と、前記遊技領域へ遊技球を発射するための発射装置と、前記遊技領域に配設される始動口と、所定の条件が成立したことに基づいて利益価値の異なる複数種類の当選種が含まれる当落についての抽選処理を行う当落抽選手段と、前記遊技領域にて開閉動作する開閉部材と、前記開閉部材による開閉動作を通じて前記遊技領域にて開放される大入賞口と、を備え、前記当落抽選手段による当落についての抽選結果が当りであるとき、前記開閉部材による開閉動作を通じた前記大入賞口の開放によって遊技者にとって有利となる特別遊技を行う遊技機であって、
前記複数種類の当選種が含まれる当落に対応付けされた複数種類の演出を記憶する演出記憶手段と、
前記当落抽選手段による当落についての抽選結果に対応する演出を前記演出記憶手段から読み出し、所定の演出表示手段にて該読み出された演出を表示制御する演出表示制御手段と、をさらに備え、
前記演出表示制御手段は、前記当落抽選手段による当落についての抽選結果が当りであるとき、演出時間の経過に伴って前記複数種類の当選種のうち所定の当選種であるか否かを利益価値が高い順に通知する順次演出を、当該抽選結果の当選種を通知するまで表示制御する順次演出表示制御手段を含むことを特徴とする遊技機。
【請求項２】
前記開閉部材の駆動態様を複数種類記憶する駆動態様記憶手段と、
前記駆動態様記憶手段に記憶される複数種類の駆動態様のうち所定の駆動態様で前記開閉部材を駆動制御する駆動制御手段と、をさらに備え、
前記当落抽選手段は、前記複数種類の当選種として、前記特別遊技における前記開閉部材の駆動態様を第１の開閉態様とするか又は該第１の開閉態様に比べて利益価値が低い第２の開閉態様とするかについての抽選処理も行い、
前記順次演出表示制御手段は、前記順次演出にて前記第１の開閉態様から前記第２の開閉態様であるか否かの順に通知することを特徴とする請求項１記載の遊技機。
【請求項３】
前記開閉部材の駆動態様は、前記開閉部材の開放継続時間または／および開閉回数であることを特徴とする請求項１または請求項２に記載の遊技機。
【手続補正書】
【提出日】平成21年8月6日(2009.8.6)
【手続補正１】
【補正対象書類名】特許請求の範囲
【補正対象項目名】全文
【補正方法】変更
【補正の内容】
【特許請求の範囲】
【請求項１】
遊技球の入賞又は通過の検出があったことに基づき第１抽選を行い、当該第１抽選により第１条件が満たされると第２抽選が可能となり、さらに、当該第２抽選により第２条件が満たされると第３抽選が可能となるステップ遊技において、少なくとも前記第３抽選の結果により遊技者に多大な利益を付与する特別遊技が行われる遊技機であって、
遊技領域を有し、当該遊技領域に向けて遊技球が打ち込まれる遊技盤と、
該遊技盤の前記遊技領域へ遊技球を導入するための導入口と、
該導入口から前記遊技領域へ導入された遊技球を排出可能な排出口と、
前記導入口から導入された遊技球が前記排出口へ向かうように、前記遊技領域のうち概ね特定される流下範囲に遊技球を流下させる遊技球規制手段と、
前記第１抽選の起因となり得る遊技球が入賞可能又は通過可能な第１抽選口と、
前記第２抽選の起因となり得る遊技球が入賞可能又は通過可能な第２抽選口と、
前記第３抽選の起因となり得る遊技球が入賞可能又は通過可能な第３抽選口と、
所定の演出画像を表示可能な演出画像表示装置と、
前記第１乃至第３抽選の結果に基づく演出画像を前記演出画像表示装置に表示するよう表示制御を行う表示制御手段とを備え、
前記導入口から前記排出口へ至る前記流下範囲に、前記第３抽選口、前記第２抽選口、前記第１抽選口の順に各抽選口を配置し、
前記表示制御手段は、前記第１乃至第３抽選のうちの少なくとも２つの抽選が並行する場合には、前記第３抽選、前記第２抽選、前記第１抽選の順で優先的に、当該各抽選の結果に基づく演出画像を前記演出画像表示装置に表示するよう表示制御を行う
ことを特徴とする遊技機。
【請求項２】
前記第２抽選口の近傍に設けられる第２抽選口可動部材と、
前記第２抽選口可動部材を、常には前記第２抽選口への遊技球の入賞又は通過が不可能な拒球態様に維持すると共に、前記第１抽選の結果に基づいて前記拒球態様から前記第２抽選口への遊技球の入賞又は通過が可能となる許球態様へ切り替える第２抽選口態様制御手段とをさらに備える
ことを特徴とする請求項１に記載の遊技機。
【請求項３】
前記第３抽選口の近傍に設けられる第３抽選口可動部材と、
前記第３抽選口可動部材を、常には前記第３抽選口への遊技球の入賞又は通過が不可能な拒球態様に維持すると共に、前記第２抽選の結果に基づいて前記拒球態様から前記第３抽選口への遊技球の入賞又は通過が可能となる許球態様へ切り替える第３抽選口態様制御手段とさらに備える
ことを特徴とする請求項１または２に記載の遊技機。
【手続補正２】
【補正対象書類名】明細書
【補正対象項目名】０００６
【補正方法】変更
【補正の内容】
【０００６】
前記課題を解決するための本発明に係る遊技機は、遊技球の入賞又は通過の検出があったことに基づき第１抽選を行い、当該第１抽選により第１条件が満たされると第２抽選が可能となり、さらに、当該第２抽選により第２条件が満たされると第３抽選が可能となるステップ遊技において、少なくとも前記第３抽選の結果により遊技者に多大な利益を付与する特別遊技が行われる遊技機であって、遊技領域を有し、当該遊技領域に向けて遊技球が打ち込まれる遊技盤と、該遊技盤の前記遊技領域へ遊技球を導入するための導入口と、該導入口から前記遊技領域へ導入された遊技球を排出可能な排出口と、前記導入口から導入された遊技球が前記排出口へ向かうように、前記遊技領域のうち概ね特定される流下範囲に遊技球を流下させる遊技球規制手段と、前記第１抽選の起因となり得る遊技球が入賞可能又は通過可能な第１抽選口と、前記第２抽選の起因となり得る遊技球が入賞可能又は通過可能な第２抽選口と、前記第３抽選の起因となり得る遊技球が入賞可能又は通過可能な第３抽選口と、所定の演出画像を表示可能な演出画像表示装置と、前記第１乃至第３抽選の結果に基づく演出画像を前記演出画像表示装置に表示するよう表示制御を行う表示制御手段とを備え、前記導入口から前記排出口へ至る前記流下範囲に、前記第３抽選口、前記第２抽選口、前記第１抽選口の順に各抽選口を配置し、前記表示制御手段は、前記第１乃至第３抽選のうちの少なくとも２つの抽選が並行する場合には、前記第３抽選、前記第２抽選、前記第１抽選の順で優先的に、当該各抽選の結果に基づく演出画像を前記演出画像表示装置に表示するよう表示制御を行うことを特徴とする。
【手続補正書】
【提出日】平成21年8月6日(2009.8.6)
【手続補正１】
【補正対象書類名】特許請求の範囲
【補正対象項目名】全文
【補正方法】変更
【補正の内容】
【特許請求の範囲】
【請求項１】
遊技領域を有し、当該遊技領域に向けて遊技球が打ち込まれる遊技盤と、
所定の演出画像が表示される演出画像表示装置と、
前記遊技領域に設けられ、遊技球の受け入れまたは通過が可能な開放口と、
該開放口への遊技球の受け入れまたは通過の有無を検出する開放口検出手段と、
前記遊技領域に設けられる受入口と、
該受入口への遊技球の受け入れの有無を検出する受入口検出手段と、
前記受入口の近傍に設けられる可動部材と、
該可動部材を、前記受入口への遊技球の受け入れが不可能な拒球態様に維持可能であると共に、前記拒球態様から前記受入口への遊技球の受け入れが可能となる許球態様に切り替え可能な可動制御手段と、
閉状態から開状態への変化である開放動作によって、遊技球の受け入れが可能となる開閉装置と、
該開閉装置の開放動作を制御可能な開閉制御手段と、
前記開放口検出手段により前記開放口への遊技球の受け入れまたは通過があった旨が検出されたことに基づいて予備抽選処理を行う予備抽選手段、
該予備抽選手段による前記予備抽選処理の結果に基づき、前記演出画像表示装置に表示される演出画像の表示態様を内部的に決定する予備抽選演出画像決定手段、
前記受入口検出手段により前記受入口への遊技球の受け入れがあった旨が検出されたことに基づいて本抽選処理を行う本抽選手段、および
該本抽選手段による前記本抽選処理にて当選することに基づき、前記開閉制御手段によって前記開閉装置の開放動作を制御し、多大な利益を獲得可能な大当たり遊技を実行する大当たり遊技実行手段、を有する主制御手段と、
前記予備抽選演出画像決定手段により決定された表示態様の表示が前記演出画像表示装置を介して行われるように表示制御する予備抽選表示制御手段、および
少なくとも前記本抽選手段による前記本抽選処理の結果の表示が前記演出画像表示装置を介して行われるように表示制御する本抽選表示制御手段、を有する周辺制御手段と、
を備えた遊技機であって、
前記予備抽選手段による前記予備抽選処理の結果には、少なくとも、第１開放当たり、第２開放当たり、および、はずれが含まれており、
前記主制御手段は、さらに、
前記予備抽選手段による前記予備抽選処理の結果が前記第１開放当たりである場合、遊技球が受け入れられ易い態様で前記可動制御手段にて前記可動部材を前記許球態様に切り替える第１開放当たり実行手段、
前記予備抽選手段による前記予備抽選処理の結果が前記第２開放当たりである場合、遊技球が受け入れられ難い態様で前記可動制御手段にて前記可動部材を前記許球態様に切り替える第２開放当たり実行手段、および
前記予備抽選手段による前記予備抽選処理の結果が前記はずれである場合、前記可動制御手段による前記可動部材の前記許球態様への切り替えを行わないはずれ処理手段、を有し、
前記本抽選手段は、前記第１開放当たり又は前記第２開放当たりのいずれかに係る前記許球態様において前記受入口への遊技球の受け入れがなかったにもかかわらず、前記受入口検出手段により前記受入口への遊技球の受け入れがあった旨が検出された場合である特殊状況においても、前記本抽選処理を実行する
ことを特徴とする遊技機。
【請求項２】
前記予備抽選表示制御手段は、前記第２開放当たりに際しては、当たりであるにもかかわらず、当たりであることを認識不能又は認識困難な察知難態様の表示が行われるように表示制御する
ことを特徴とする請求項１に記載の遊技機。
【請求項３】
前記予備抽選演出画像決定手段は、前記予備抽選手段による前記予備抽選処理の結果が前記第２開放当たりである場合、前記演出画像表示装置に表示される演出画像の表示態様が前記察知難態様となるように、当該表示態様を内部的に決定する
ことを特徴とする請求項２に記載の遊技機。
【手続補正２】
【補正対象書類名】明細書
【補正対象項目名】０００７
【補正方法】変更
【補正の内容】
【０００７】
前記課題を解決するための本発明に係る遊技機は、遊技領域を有し、当該遊技領域に向けて遊技球が打ち込まれる遊技盤と、所定の演出画像が表示される演出画像表示装置と、前記遊技領域に設けられ、遊技球の受け入れまたは通過が可能な開放口と、該開放口への遊技球の受け入れまたは通過の有無を検出する開放口検出手段と、前記遊技領域に設けられる受入口と、該受入口への遊技球の受け入れの有無を検出する受入口検出手段と、前記受入口の近傍に設けられる可動部材と、該可動部材を、前記受入口への遊技球の受け入れが不可能な拒球態様に維持可能であると共に、前記拒球態様から前記受入口への遊技球の受け入れが可能となる許球態様に切り替え可能な可動制御手段と、閉状態から開状態への変化である開放動作によって、遊技球の受け入れが可能となる開閉装置と、該開閉装置の開放動作を制御可能な開閉制御手段と、前記開放口検出手段により前記開放口への遊技球の受け入れまたは通過があった旨が検出されたことに基づいて予備抽選処理を行う予備抽選手段、該予備抽選手段による前記予備抽選処理の結果に基づき、前記演出画像表示装置に表示される演出画像の表示態様を内部的に決定する予備抽選演出画像決定手段、前記受入口検出手段により前記受入口への遊技球の受け入れがあった旨が検出されたことに基づいて本抽選処理を行う本抽選手段、および該本抽選手段による前記本抽選処理にて当選することに基づき、前記開閉制御手段によって前記開閉装置の開放動作を制御し、多大な利益を獲得可能な大当たり遊技を実行する大当たり遊技実行手段、を有する主制御手段と、前記予備抽選演出画像決定手段により決定された表示態様の表示が前記演出画像表示装置を介して行われるように表示制御する予備抽選表示制御手段、および少なくとも前記本抽選手段による前記本抽選処理の結果の表示が前記演出画像表示装置を介して行われるように表示制御する本抽選表示制御手段、を有する周辺制御手段と、を備えた遊技機であって、前記予備抽選手段による前記予備抽選処理の結果には、少なくとも、第１開放当たり、第２開放当たり、および、はずれが含まれており、前記主制御手段は、さらに、前記予備抽選手段による前記予備抽選処理の結果が前記第１開放当たりである場合、遊技球が受け入れられ易い態様で前記可動制御手段にて前記可動部材を前記許球態様に切り替える第１開放当たり実行手段、前記予備抽選手段による前記予備抽選処理の結果が前記第２開放当たりである場合、遊技球が受け入れられ難い態様で前記可動制御手段にて前記可動部材を前記許球態様に切り替える第２開放当たり実行手段、および前記予備抽選手段による前記予備抽選処理の結果が前記はずれである場合、前記可動制御手段による前記可動部材の前記許球態様への切り替えを行わないはずれ処理手段、を有し、前記本抽選手段は、前記第１開放当たり又は前記第２開放当たりのいずれかに係る前記許球態様において前記受入口への遊技球の受け入れがなかったにもかかわらず、前記受入口検出手段により前記受入口への遊技球の受け入れがあった旨が検出された場合である特殊状況においても、前記本抽選処理を実行することを特徴とする。
【手続補正書】
【提出日】平成21年5月27日(2009.5.27)
【手続補正１】
【補正対象書類名】明細書
【補正対象項目名】００１５
【補正方法】変更
【補正の内容】
【００１５】  以下、本発明の実施の形態を図面にもとづいて説明する。
図１は本発明に係る２本針オーバーロックミシンの空環縫込み装置の概略平面図、図２は図１の要部である針板の平面図、図３は図２の要部拡大側面図、図４は図２のＹ−Ｙ線に沿った拡大断面図である。図１において、１はクロスプレートであり、このクロスプレート１の上面と同一高さの上面を有する針板２が図示しない針板取付台に固定されている。３は前記針板２よりも縫製進行方向Ｘの手前側に設置された空環保持器（空環保持手段）であり、この空環保持器３は、空環切断用メスと切断後の空環を挟圧保持する保持具とを備えている。なお、この空環保持器３は周知であるため、その具体的な構造の図示は省略する。
【手続補正２】
【補正対象書類名】明細書
【補正対象項目名】００１６
【補正方法】変更
【補正の内容】
【００１６】  前記針板２には、図２に明示するように、生地Ｋ（図５、図６参照）を縫製進行方向Ｘに向けて順送りする送り歯４（図１参照）が出入運動する送り歯溝５が形成されているとともに、それよりも外側縁寄り位置には、縫製進行方向Ｘに対して略直交する方向に並列させて設けた２本の針（図示省略する）にそれぞれ対応させて針落ち部Ｄ１，Ｄ２を含む針落ち溝６，７が形成されている。これら針落ち溝６，７の針落ち部Ｄ１，Ｄ２の前縁から各針落ち溝６，７に沿わせて縫製進行方向Ｘの前方に向けて延出され生地Ｋの縁かがり部を支え、かつ、前記生地Ｋの縫い終わり端Ｅが針落ち部Ｄ１，Ｄ２を通過した縫製完了後に前記生地Ｋの縫い終わり端Ｅに連ねて形成される空環Ｃ（図５、図６参照）を抜き出し可能に保持する内外二つの針板爪８，９が形成されている。また、前記針落ち溝６，７よりも縫製進行方向Ｘの後方の側壁部２ａには生地端切揃え用メス１０（図１参照）を嵌め込み設置する凹入孔１１が形成され、さらに、この凹入孔１１の底壁面よりも縫製進行方向Ｘの後方の針板２部分の上面には縫製進行方向Ｘに平行な状態で空環案内溝１２が形成されている。
【手続補正３】
【補正対象書類名】明細書
【補正対象項目名】００１７
【補正方法】変更
【補正の内容】
【００１７】  前記内外二つの針板爪８，９のうち、外側針板爪９はその先端部９ａが内側針板爪８の先端部８ａよりも縫製進行方向Ｘの前方へ長く突出して略円弧状に形成されているとともに、空環Ｃの抜け出しが容易となるように、外側針板爪９の外側縁部９ｂを先端部９ａに至るほど漸次内側に傾斜させて先細形状に形成されている。また、外側針落ち溝７の針落ち部Ｄ２の前縁７ｅは、両針落ち部Ｄ１，Ｄ２を結ぶ並設線に対して外側針板爪９側ほど縫製進行方向Ｘの後方に位置するような傾斜縁に形成されている。
【手続補正書】
【提出日】平成21年8月12日(2009.8.12)
【手続補正１】
【補正対象書類名】特許請求の範囲
【補正対象項目名】全文
【補正方法】変更
【補正の内容】
【特許請求の範囲】
【請求項１】
遊技媒体の外形よりも大きい幅で所定方向に延びる軸芯を中心として少なくとも円弧状に延びる案内通路、
該案内通路と連通し、遊技者の操作によって遊技領域内に打ち込まれた遊技媒体が進入可能な進入口、
該進入口から前記案内通路の周方向に沿って順次配置され、少なくとも第一振分口、第二振分口、及び第三振分口からなり遊技媒体が通過可能な複数の振分口、
該振分口の前記第一振分口とは前記進入口を挟んで反対側から、前記第二振分口及び前記第三振分口との間へ前記案内通路を短絡するように連絡する連絡通路
を備えた振分ベース部材と、
該振分ベース部材の前記軸芯周りに回転可能に保持され、回転角度に応じて、前記進入口、前記第一振分口、前記第二振分口、前記第三振分口、及び前記連絡通路の何れか一つと連通可能な遊技媒体収容部を備えた回転体と、
該回転体を回転駆動させる回転駆動手段と
を有した振分手段を具備する
ことを特徴とする遊技機。
【請求項２】
前記振分手段の下流側に配置され、前記振分口に応じて所定の特典を付与可能な特典付与手段を更に具備する
ことを特徴とする請求項１に記載の遊技機。
【請求項３】
前記振分手段は、
前記振分ベース部材に、前記案内通路内の遊技媒体を、少なくとも前記進入口が配置された位置で前記軸芯方向へ移動するのを阻止すると共に前記連絡通路が貫通する内周壁が更に備えられていると共に、
前記回転体の前記遊技媒体収容部内に、前記内周壁が収容可能とされている
ことを特徴とする請求項１または請求項２に記載の遊技機。
【手続補正２】
【補正対象書類名】明細書
【補正対象項目名】０００９
【補正方法】変更
【補正の内容】
【０００９】
手段１：遊技機において、
「遊技媒体の外形よりも大きい幅で所定方向に延びる軸芯を中心として少なくとも円弧状に延びる案内通路、
該案内通路と連通し、遊技者の操作によって遊技領域内に打ち込まれた遊技媒体が進入可能な進入口、
該進入口から前記案内通路の周方向に沿って順次配置され、少なくとも第一振分口、第二振分口、及び第三振分口からなり遊技媒体が通過可能な複数の振分口、
該振分口の前記第一振分口とは前記進入口を挟んで反対側から、前記第二振分口及び前記第三振分口との間へ前記案内通路を短絡するように連絡する連絡通路
を備えた振分ベース部材と、
該振分ベース部材の前記軸芯周りに回転可能に保持され、回転角度に応じて、前記進入口、前記第一振分口、前記第二振分口、前記第三振分口、及び前記連絡通路の何れか一つと連通可能な遊技媒体収容部を備えた回転体と、
該回転体を回転駆動させる回転駆動手段と
を有した振分手段を具備する」ものであることを特徴とする。
【手続補正書】
【提出日】平成21年4月14日(2009.4.14)
【手続補正１】
【補正対象書類名】特許請求の範囲
【補正対象項目名】全文
【補正方法】変更
【補正の内容】
【特許請求の範囲】
【請求項１】
パック１（１１）とパック２（１２）で密閉空間を保有して周囲を密着し、密着していないパック１開封端（１３）とパック２開封端（１４）を持つ包装体の保護パック（ａ１）に内蔵物の鍼灸針（ａ２）を密封した鍼灸針保護パック（ａ）を開封する装置であって、
ローラー（１３１）にパック２受取具（１３３）とパック２固定具（１３４）を設けたパック２固定機（ｂ３）において、
前記パック２受取具（１３３）と前記パック２固定具（１３４）で前記パック２開封端（１４）を把持し、前記パック２固定機（ｂ３）が前記鍼灸針保護パック（ａ）を圧迫しつつ回転し、前記ローラー（１３１）に前記パック２（１２）を巻き付け、該パック１（１１）と該パック２（１２）を離間して開封する構造を有することを特徴とする鍼灸針保護パック開封装置。
【請求項２】
前記鍼灸針保護パック（ａ）をパック台（ｂ１）で保持し、前記パック１開封端（１３）をパック１固定機（ｂ２）で固定する構造を有することを特徴とする請求項１に記載の鍼灸針保護パック開封装置。
【請求項３】
前記パック２固定機（ｂ３）で開封した前記鍼灸針保護パック（ａ）を固定し、前記保護パック（ａ１）の開封部から前記鍼灸針（ａ２）の一部分を突出させ、前記保護パック（ａ１）の未開封部に前記鍼灸針（ａ２）の他の部分を残存して保管する構造を有することを特徴とする請求項１または請求項２に記載の鍼灸針保護パック開封装置。
【手続補正２】
【補正対象書類名】明細書
【補正対象項目名】００４７
【補正方法】変更
【補正の内容】
【００４７】回転機（ｂ４）はパック台（ｂ１）にパック２固定機（ｂ３）を一定の圧力で接触させてパック２固定機（ｂ３）の回転を行うもので、
ローラー軸（１３２）に連動した滑車１（１４１）と、安定板（ｂ７）に接続して固定し同位置で回転する滑車２（１４２）と、滑車１（１４１）と滑車２（１４２）に対して付勢を持ち連動して回転するためのベルト（１４３）からなる。
安定板（ｂ７）はパック２固定機（ｂ３）の軸方向の安定性を保持するもので、パック台（ｂ１）に固定した側板（１７１）と、側板（１７１）上にパック２固定機（ｂ３）が回転移動する時のローラー軸（１３２）の軌跡に対するレール状の溝である軸移動溝（１７２）からなる。
パック２固定機（ｂ３）はパック台（ｂ１）とローラー（１３１）の接触面に対し、回転機（ｂ４）の付勢により均等に圧力をかけて、メインパック台（１１１）及びサブパック台（１１２）上を滑り回転することなく連続的に接触して安定した回転移動を行い、パック２固定機（ｂ３）の不安定な揺れや軸方向及び軸と垂直方向の無用な移動などをなくす。また滑車２（１４２）を回転することで、滑車１（１４１）が連動して回転し、パック２固定機（ｂ３）を回転することも可能である。
【手続補正書】
【提出日】平成21年8月4日(2009.8.4)
【手続補正１】
【補正対象書類名】特許請求の範囲
【補正対象項目名】全文
【補正方法】変更
【補正の内容】
【特許請求の範囲】
【請求項１】
複数の振動要素と、第１の電極と、前記複数の振動要素を挟んで前記第１の電極と対向して設けられた第２の電極とを有する超音波探触子の電極構造において、
前記第１の電極は、超音波探触子の第１の方向に配列された各振動要素をそれぞれ直列に連結する基本構造と、前記基本構造を任意の本数ずつ電気的に連結する第１の連結部と、を備えたことを特徴とする超音波探触子の電極構造。
【請求項２】
前記第１の連結部は前記基本構造が電気的に接続されたスイッチ部を有し、前記スイッチ部は前記基本構造を任意の本数ずつ電気的に連結することを特徴とする請求項１に記載の超音波探触子の電極構造。
【請求項３】
前記第１の連結部は、前記基本構造を超音波探触子の前記第１の方向に直交する第２の方向に沿った端部において連結する第１の共通電極を有し、前記第１の共通電極は任意に分離可能に形成されていることを特徴とする請求項１に記載の超音波探触子の電極構造。
【請求項４】
複数の振動要素と、第１の電極と、前記複数の振動要素を挟んで前記第１の電極と対向
して設けられた第２の電極とを有する超音波探触子の電極構造において、
前記第２の電極は、超音波探触子の第１の方向に隣接して配列された複数の短冊状の電極と、前記短冊状の電極を任意にそれぞれ組み合わせて電気的に連結する第２の連結部と、を備えたことを特徴とする超音波探触子の電極構造。
【請求項５】
前記第２の連結部は前記短冊状の電極が電気的に接続されたスイッチ部を有し、前記スイッチ部は接続されている前記短冊状の電極を任意に組み合わせて電気的に連結することを特徴とする請求項４に記載の超音波探触子の電極構造。
【請求項６】
前記第２の連結部は、前記短冊状の電極の一端を超音波探触子の前記第１の方向に沿って連結する第２の共通電極を有し、前記第２の共通電極は任意に分離可能に形成されていることを特徴とする請求項４に記載の超音波探触子の電極構造。
【請求項７】
前記複数の短冊状の電極は、前記振動要素の形状にあった波型であることを特徴とする請求項４に記載の超音波探触子の電極構造。
【請求項８】
請求項１乃至３のいずれか１項に記載の超音波探触子の電極構造を有する超音波探触子であって、
前記基本構造は、信号の入出力パターンを有する第１の基板と電気的に接続されていることを特徴とする超音波探触子。
【請求項９】
請求項４乃至７いずれか１項に記載の超音波探触子の電極構造を有する超音波探触子であって、
前記短冊状の電極は、信号の入出力パターンを有する第２の基板と電気的に接続されていることを特徴とする超音波探触子。
【請求項１０】
請求項２又は５に記載の超音波探触子の電極構造を有する超音波探触子であって、
前記スイッチ部は、フォーカス設定条件に応じて制御されることを特徴とする超音波探触子。
【請求項１１】
請求項１乃至７のいずれか１項に記載の超音波探触子の電極構造を有する基板であって、超音波探触子の別々の機種に要求される素子ピッチ、分割構造、寸法に応じて切断が可能であることを特徴とする超音波探触子の基板。
【請求項１２】
被検体に接触させて被検体との間で超音波を送受波する超音波探触子と、超音波探触子に駆動信号を供給する送信手段と、超音波探触子２から出力される反射エコー信号を受信する受信手段と、受信された反射エコー信号を整相加算する整相加算部と、整相加算された反射エコー信号に基づいて診断画像を構成する画像処理手段と、画像処理された診断画像を表示画面に表示する表示手段と、各構成要素を制御する制御手段と、前記制御手段に操作者の指示を入力する操作手段と、を備えた超音波診断装置であって、前記超音波探触子は、請求項８又は９の何れかに記載の超音波診断装置。
【手続補正２】
【補正対象書類名】明細書
【補正対象項目名】発明の名称
【補正方法】変更
【補正の内容】
【発明の名称】超音波探触子の電極構造、超音波探触子、超音波探触子の基板および超音波診断装置
【手続補正３】
【補正対象書類名】明細書
【補正対象項目名】０００１
【補正方法】変更
【補正の内容】
【０００１】
本発明は、超音波探触子の電極構造および超音波探触子に係り、特にcMUT(capacitive Micromachined Ultrasonic Transducers)を用いた超音波探触子の電極構造、超音波探触子、超音波探触子の基板および超音波診断装置に関する。
【手続補正書】
【提出日】平成21年8月17日(2009.8.17)
【手続補正１】
【補正対象書類名】特許請求の範囲
【補正対象項目名】全文
【補正方法】変更
【補正の内容】
【特許請求の範囲】
【請求項１】
外枠と、前記外枠に対して開閉可能な内枠と、前記内枠に対して開閉可能なガラス扉とを備える遊技機であって、
前記内枠に対する前記ガラス扉の開閉状態を検出して扉開閉検出信号を出力する扉開閉検出器と、
前記外枠に対する前記内枠の開閉状態を検出して枠開閉検出信号を出力する枠開閉検出器と、
前記扉開閉検出器から出力される扉開閉検出信号と前記枠開閉検出器から出力される枠開閉検出信号を合成し、前記ガラス扉あるいは前記内枠が開状態にあるか前記ガラス扉および前記内枠が閉状態にあるかを示す合成検出信号を出力する合成回路と、
表示装置、音発生装置及び光発生装置のうちの少なくとも一つにより構成される報知装置と、
前記報知装置を制御する報知制御回路を有し、
前記報知制御回路は、前記合成検出信号が、前記ガラス扉あるいは前記内枠が開状態にあることを示した場合には、第一の設定期間、前記報知装置が前記ガラス扉あるいは前記内枠が開状態にあることを報知するように前記報知装置を制御する、
ことを特徴とする遊技機。
【手続補正書】
【提出日】平成21年8月10日(2009.8.10)
【手続補正１】
【補正対象書類名】特許請求の範囲
【補正対象項目名】全文
【補正方法】変更
【補正の内容】
【特許請求の範囲】
【請求項１】
払出装置に備えた払出モータの回転速度を、払出制御基板の定時間割り込みタイマを利用して制御するパチンコ機であって、
前記払出制御基板には、
前記定時間割り込みタイマが発生するごとに、前記払出モータの回転速度の制御に加えて、払い出しに関する各種処理を行う払出制御マイクロプロセッサと、
該払出制御マイクロプロセッサとは別体に設けられ、当該払出制御マイクロプロセッサが正常に動作しているか否かを監視する外部ウォッチドックタイマと、
を備え、
前記払出制御マイクロプロセッサは、
前記定時間割り込みタイマが発生した後に、割り込みフラグをオンに設定する割り込みフラグオン設定制御手段と、
前記割り込みフラグがオンに設定されているか否かを判定する割り込みフラグオン判定制御手段と、
該割り込みフラグオン判定制御手段により前記割り込みフラグがオンに設定されていると判定された後、前記割り込みフラグをオフに設定する割り込みフラグオフ設定制御手段と、
該割り込みフラグオフ設定制御手段により前記割り込みフラグがオフに設定された後、前記外部ウォッチドックタイマにクリア信号の出力を開始するクリア信号出力開始制御手段と、
該クリア信号出力開始制御手段により前記クリア信号の出力が開始された後、前記払出モータに駆動信号を出力するとともに前記払い出しに関する各種処理を行う払出制御実行制御手段と、
該払出制御実行制御手段により前記払出モータに駆動信号が出力されるとともに前記払い出しに関する各種処理が行われた後、前記外部ウォッチドックタイマへの前記クリア信号の出力を停止するクリア信号出力停止制御手段と、
を備え、
前記外部ウォッチドックタイマは、
前記クリア信号が入力された後、前記定時間割り込みタイマの所定数倍長く設定されたクリア信号解除時間内に、当該クリア信号の入力が解除されないと、前記払出制御マイクロプロセッサが正常に動作していないものとして当該払出制御マイクロプロセッサのリセット端子にリセット信号を出力することを特徴とするパチンコ機。
【請求項２】
請求項１に記載されるパチンコ機であって、
前記払出制御マイクロプロセッサのリセット端子は、当該払出制御マイクロプロセッサの基準電圧に引き上げられたプルアップ抵抗と電気的に接続されるとともに、グランドと接地されたコンデンサと電気的に接続されていることを特徴とするパチンコ機。
【手続補正２】
【補正対象書類名】明細書
【補正対象項目名】００１６
【補正方法】変更
【補正の内容】
【００１６】
本実施形態では、図３の払出装置４０が払出装置に相当し、図３の払出モータ４１が払出モータに相当し、図１１の払出制御基板７５が払出制御基板に相当し、１．７５ｍｓが定時間割り込みタイマに相当し、図１のパチンコ機１がパチンコ機に相当し、図１１の払出制御ＭＰＵ７５ａが払出制御マイクロプロセッサに相当し、図１１の外部ＷＤＴ７５ｃが外部ウォッチドックタイマに相当し、１．７５ｍｓ経過フラグＨＴ−ＦＬＧが割り込みフラグに相当し、図１８の払出制御側タイマ割込処理におけるステップＳ１９２の処理が割り込みフラグオン設定制御手段に相当し、図１７の払出制御側電源投入時処理（払出制御側メイン処理）におけるステップＳ１４４の判定が割り込みフラグオン判定制御手段に相当し、図１７の払出制御側電源投入時処理（払出制御側メイン処理）におけるステップＳ１４６の処理が割り込みフラグオフ設定制御手段に相当し、図１７の払出制御側電源投入時処理（払出制御側メイン処理）におけるステップＳ１４８の処理がクリア信号出力開始制御手段に相当し、図１７の払出制御側電源投入時処理（払出制御側メイン処理）におけるステップＳ１５０〜ステップＳ１６８の処理が払出制御実行制御手段に相当し、図１７の払出制御側電源投入時処理（払出制御側メイン処理）におけるステップＳ１７０の処理がクリア信号出力停止制御手段に相当し、割り込みタイマの２０回分が所定数倍長く設定されたクリア信号解除時間に相当し、図３４の払出制御ＭＰＵ７５ａのリセット端子であるＲＳＴ端子がリセット端子に相当する。
（解決手段２）
解決手段１に記載されるパチンコ機であって、前記払出制御マイクロプロセッサのリセット端子は、当該払出制御マイクロプロセッサの基準電圧に引き上げられたプルアップ抵抗と電気的に接続されるとともに、グランドと接地されたコンデンサと電気的に接続されていることを特徴とするパチンコ機。こうすれば、払出制御マイクロプロセッサのリセット端子は、プルアップ抵抗により負論理となるとともに、そのリセット端子に入力されるリセット信号は、コンデンサによりリップルが除去されて平滑化される。
本実施形態では、図３４の＋５Ｖが基準電圧に相当し、図３４のプルアップ抵抗Ｒ８がプルアップ抵抗に相当し、図３４のコンデンサＣ５がコンデンサに相当する。
【手続補正３】
【補正対象書類名】明細書
【補正対象項目名】００１７
【補正方法】変更
【補正の内容】
【００１７】
本発明の請求項１においては、設定した割り込みタイマ内で各種処理を処理できるか否かを、手間をかけずに確認することができる。本発明の請求項２においては、払出制御マイクロプロセッサのリセット端子は、プルアップ抵抗により負論理となるとともに、そのリセット端子に入力されるリセット信号は、コンデンサによりリップルが除去されて平滑化される。